(57)【要約】【課題】外部ディスプレイにおける動画の鑑賞の妨げを減らし、必要に応じて動画再生機器での操作をユーザに認識させる。【解決手段】外部表示機器に出力する動画の再生の開始の際に、再生機器の表示手段に、動画の再生開始、早送り、巻戻し、一時停止、スロー再生の指示をするための表示アイテムのうち少なくとも１つを含む動画の操作パネルを表示し、外部表示機器には操作パネルを表示せず、動画の再生後に前記操作パネルが表示されていない状態で操作手段に対する操作があったことに応じて、表示手段と外部表示機器に操作パネルを表示するよう制御する。【選択図】図３
2016133973.tif 000002
【特許請求の範囲】
【請求項１】
動画再生手段と、
ユーザからの操作を受け付ける操作手段と、
表示手段と、
前記動画再生手段により再生された動画を外部表示機器に出力する出力手段と、
前記出力手段で出力する動画の再生の開始の際に、前記表示手段に、前記動画の再生開始、早送り、巻戻し、一時停止、スロー再生の指示をするための表示アイテムのうち少なくとも１つを含む動画の操作パネルを表示するように制御するとともに、前記出力手段で出力する映像には前記操作パネルを重畳しないように制御し、
前記動画の再生後に前記操作パネルが表示されていない状態で操作手段に対する操作があったことに応じて、前記表示手段に前記操作パネルを表示するように制御するとともに、前記出力手段で出力する映像に前記操作パネルを重畳するように制御する表示制御手段とを有することを特徴とする表示制御装置。
【請求項２】
動画再生手段と、
ユーザからの操作を受け付ける操作手段と、
表示手段と、
前記動画再生手段により再生された動画を外部表示機器に出力する出力手段と、
前記出力手段で出力する動画の再生の開始の際に、前記表示手段に、前記動画の再生開始、早送り、巻戻し、一時停止、スロー再生の指示をするための表示アイテムのうち少なくとも１つを含む動画の操作パネルを表示するように制御するとともに、前記出力手段で出力する映像には前記操作パネルを重畳しないように制御し、
前記動画の再生後に前記操作パネルが表示されていない状態で前記動画が停止したことに応じて、前記表示手段に前記操作パネルを表示するように制御するとともに、前記出力手段で出力する映像に前記操作パネルを重畳するように制御する表示制御手段とを有することを特徴とする表示制御装置。
【請求項３】
前記表示制御手段は、前記動画の再生後に前記操作パネルが表示されていない状態で前記動画が停止したことに応じて、前記表示手段に前記操作パネルを表示するように制御するとともに、前記出力手段で出力する映像に前記操作パネルを重畳するように制御することを特徴とする請求項１に記載の表示制御装置。
【請求項４】
前記表示制御手段は、前記動画の再生を開始させる操作に応じて、前記動画を再生するとともに、前記表示手段における再生された該動画に重畳して、前記操作パネルを表示するように制御するとともに、前記出力手段で出力する映像には前記操作パネルを重畳しないように制御することを特徴とする請求項１乃至３の何れか１項に記載の表示制御装置。
【請求項５】
前記表示制御手段は、前記動画の再生の開始から所定時間が経過したことに応じて、該動画が停止していなくても、前記表示手段に表示されていた前記操作パネルを非表示にするように制御することを特徴とする請求項１乃至４の何れか１項に記載の表示制御装置。
【請求項６】
前記表示制御手段は、前記動画の再生中の前記操作手段に対する操作に応じて、該動画が停止していなくても、前記表示手段に表示されていた前記操作パネルを非表示にするように制御することを特徴とする請求項１乃至５の何れか１項に記載の表示制御装置。
【請求項７】
前記操作手段は前記表示手段に対するタッチ操作を受け付けるタッチパネルを含み、前記表示手段に表示された前記操作パネルに含まれる各表示アイテムへのタッチ操作に応じて、タッチ操作された表示アイテムの機能を実行することを特徴とする請求項１乃至６の何れか１項に記載の表示制御装置。
【請求項８】
前記操作手段はタッチパネルとは異なる物理操作部材を含み、前記表示手段に表示された前記操作パネルに含まれる表示アイテムの何れかを前記物理操作部材で選択する操作に応じて、選択された表示アイテムの機能を実行することを特徴とする請求項１乃至７の何れか１項に記載の表示制御装置。
【請求項９】
前記表示制御手段は、当該表示制御装置の起動後の最初の動画の再生開始でない場合には、前記出力手段で出力する動画の再生の開始の際であっても、前記表示手段に前記操作パネルを表示しないように制御することを特徴とする請求項１乃至８の何れか１項に記載の表示制御装置。
【請求項１０】
前記表示制御手段は、当該表示制御装置の起動後に前記操作パネルが既に少なくとも１回表示されていた場合には、前記出力手段で出力する動画の再生の開始の際であっても、前記表示手段に前記操作パネルを表示しないように制御することを特徴とする請求項１乃至９の何れか１項に記載の表示制御装置。
【請求項１１】
前記表示制御手段は、当該表示制御装置の起動後に再生モードへの切替が既に少なくとも１回行われていた場合には、前記出力手段で出力する動画の再生の開始の際であっても、前記表示手段に前記操作パネルを表示しないように制御することを特徴とする請求項１乃至１０の何れか１項に記載の表示制御装置。
【請求項１２】
動画再生手段と、ユーザからの操作を受け付ける操作手段と、表示手段と、前記動画再生手段により再生された動画を外部表示機器に出力する出力手段とを有する表示制御装置の制御方法であって、
前記出力手段で出力する動画の再生の開始の際に、前記表示手段に、前記動画の再生開始、早送り、巻戻し、一時停止、スロー再生の指示をするための表示アイテムのうち少なくとも１つを含む動画の操作パネルを表示するように制御するとともに、前記出力手段で出力する映像には前記操作パネルを重畳しないように制御し、
前記動画の再生後に前記操作パネルが表示されていない状態で操作手段に対する操作があったことに応じて、前記表示手段に前記操作パネルを表示するように制御するとともに、前記出力手段で出力する映像に前記操作パネルを重畳するように制御する表示制御ステップを有することを特徴とする表示制御装置の制御方法。
【請求項１３】
動画再生手段と、ユーザからの操作を受け付ける操作手段と、表示手段と、前記動画再生手段により再生された動画を外部表示機器に出力する出力手段とを有する表示制御装置の制御方法であって、
前記出力手段で出力する動画の再生の開始の際に、前記表示手段に、前記動画の再生開始、早送り、巻戻し、一時停止、スロー再生の指示をするための表示アイテムのうち少なくとも１つを含む動画の操作パネルを表示するように制御するとともに、前記出力手段で出力する映像には前記操作パネルを重畳しないように制御し、
前記動画の再生後に前記操作パネルが表示されていない状態で前記動画が停止したことに応じて、前記表示手段に前記操作パネルを表示するように制御するとともに、前記出力手段で出力する映像に前記操作パネルを重畳するように制御する表示制御ステップとを有することを特徴とする表示制御装置の制御方法。
【請求項１４】
コンピュータを、請求項１乃至１１のいずれか１項に記載された表示制御装置の各手段として機能させるためのプログラム。
【請求項１５】
コンピュータを、請求項１乃至１１のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置およびその制御方法、プログラム、並びに記憶媒体に関し、特に、動画を再生する際に表示される操作パネルの表示制御方法に関する。
【背景技術】
【０００２】
デジタルビデオカメラやデジタルカメラ、スマートフォン、タブレット端末等では、記録されている動画のサムネイル画像を一覧表示し、選択された動画の再生が可能である。このような機器にはディスプレイが搭載されており、動画再生時には、当該ディスプレイに動画を表示することができる。このような動画再生を行う機器では、動画に重畳して、ＧＵＩ（ｇｒａｐｈｉｃａｌ  ｕｓｅｒ  ｉｎｔｅｒｆａｃｅ）である操作パネルをディスプレイに表示するものがある。動画を見ながら操作パネルに対するタッチ操作や、物理操作部材の操作に応じた操作パネルに含まれるボタンアイコンなどの表示アイテムの選択操作などを行うことにより、動画の早送りや一時停止等の指示が可能になっている。
【０００３】
しかしながら、操作パネルには、早送りや一時停止等のほかに、所定の動作モードに移行するための表示アイテムも含まれる場合があり、操作パネルが画面上に占める割合も大きく、本来表示すべき動画の邪魔になることがある。そこで、ボタンアイコンを一定時間経過後に非表示にする技術が提案されている（特許文献１参照）。
【０００４】
また、上述した機器に外部ディスプレイを接続し、当該外部ディスプレイに動画データを出力して動画を表示させることも可能である。例えば、機器の液晶パネルと外部ディスプレイにそれぞれ別の画像を表示する技術が提案されている（特許文献２参照）。
【先行技術文献】
【特許文献】
【０００５】
【特許文献１】特開２００６−０９４４３１号公報
【特許文献２】特開２００５−１９８１６５号公報
【発明の概要】
【発明が解決しようとする課題】
【０００６】
上述の機器に接続された外部ディスプレイに動画データを出力して動画を表示させる場合、動画再生時に、動画再生機器のディスプレイと外部ディスプレイの両方に操作パネルを表示すると、外部ディスプレイに表示される動画が見づらくなってしまう。一方、動画再生機器のディスプレイと外部ディスプレイの両方で操作パネルを非表示にしてしまうと、外部ディスプレイで動画を鑑賞しているユーザが、動画再生機器側で動画に対する操作を行う操作方法に気付かないおそれがある。
【０００７】
本発明は、上記問題に鑑みて成されたものであり、外部ディスプレイにおける動画の鑑賞の妨げを減らし、必要に応じて動画再生機器での操作をユーザに認識させることができる表示制御技術を提供することを目的とする。
【課題を解決するための手段】
【０００８】
上記目的を達成するために、本発明の表示制御装置は、動画再生手段と、ユーザからの操作を受け付ける操作手段と、表示手段と、前記動画再生手段により再生された動画を外部表示機器に出力する出力手段と、前記出力手段で出力する動画の再生の開始の際に、前記表示手段に、前記動画の再生開始、早送り、巻戻し、一時停止、スロー再生の指示をするための表示アイテムのうち少なくとも１つを含む動画の操作パネルを表示するように制御するとともに、前記出力手段で出力する映像には前記操作パネルを重畳しないように制御し、前記動画の再生後に前記操作パネルが表示されていない状態で前記動画が停止したことに応じて、前記表示手段に前記操作パネルを表示するように制御するとともに、前記出力手段で出力する映像に前記操作パネルを重畳するように制御する表示制御手段とを有することを特徴とする。
【発明の効果】
【０００９】
本発明によれば、外部ディスプレイにおける動画の鑑賞の妨げを減らし、必要に応じて動画再生機器での操作をユーザに認識させることができる。
【図面の簡単な説明】
【００１０】
【図１】本発明の第１の実施形態に係る表示制御装置の一例であるデジタルビデオカメラの概略構成を示すブロック図である。
【図２】（ａ）外部ディスプレイが接続された図１のデジタルビデオカメラの一例を示す図、（ｂ）図２（ａ）に示すデジタルビデオカメラの表示部を閉じた状態を示す図である。
【図３】図２（ａ）に示す外部ディスプレイに接続されたデジタルビデオカメラにおける操作パネルの表示制御処理を示すフローチャートである。
【図４】（ａ）動画再生開始時のデジタルビデオカメラの表示部と外部ディスプレイの表示状態の一例を示す図、（ｂ）動画再生開始後から所定時間が経過したときのデジタルビデオカメラの表示部と外部ディスプレイの表示状態の一例を示す図、（ｃ）動画再生開始後から所定時間が経過した後にユーザによる操作があったときのデジタルビデオカメラの表示部と外部ディスプレイの表示状態の一例を示す図である。
【図５】本発明の第２の実施形態における操作パネルの表示制御処理を示すフローチャートである。
【発明を実施するための形態】
【００１１】
以下、本発明の実施の形態を図面を参照して詳細に説明する。
【００１２】
［第１の実施形態］
図１は、本発明の第１の実施形態に係る表示制御装置の一例であるデジタルビデオカメラの概略構成を示すブロック図である。
【００１３】
図１において、デジタルビデオカメラ（以下、単に「カメラ」とする）１００は、撮像部１０１、映像処理部１０２、メモリ制御部１０３、システム制御部１０４、メモリ１０５、表示部１０６、および不揮発性メモリ１０７を備える。また、カメラ１００は、システムメモリ１０８、システムタイマー１０９、操作部１１０、記録媒体Ｉ／Ｆ１１３、記録媒体１１４、電源スイッチ１１５、電源制御部１１６、電源部１１７、外部Ｉ／Ｆ１１８、およびＣＯＤＥＣ１１９を備える。
【００１４】
撮像部１０１は、不図示のフォーカスレンズを含む撮像レンズ、絞り、光学像を電気信号に変換するＣＣＤもしくはＣＭＯＳ素子、アナログ信号をデジタル信号に変換するＡ／Ｄ変換器等を備える。撮像部１０１から出力されたデータ（静止画、動画を含む）は、映像処理部１０２、ＣＯＤＥＣ１１９、およびメモリ制御部１０３を介してメモリ１０５に書き込まれる。
【００１５】
映像処理部１０２は、撮像部１０１から受け取ったデータまたはメモリ制御部１０３から受け取ったデータに対して、画素補間処理、リサイズ処理、および色変換処理等を行う。そして、システム制御部１０４は、映像処理部１０２で行われた所定の演算処理の結果に基づいて、ＡＦ（オートフォーカス）処理、ＡＥ（自動露出）処理、ＡＷＢ（オートホワイトバランス）処理等を行う。ＣＯＤＥＣ１１９は、映像処理部１０２からの動画データをＭＰＥＧ２やＨ．２６４等の動画圧縮方式でエンコードしたり、メモリ制御部１０３からのエンコード済み動画データをデコードしたりする。
【００１６】
メモリ１０５は、複数の動画データや静止画データを格納するのに十分な記録容量を備え、ＣＯＤＥＣ１１９でエンコードされた動画データや、表示部１０６に表示するための画像データを格納する。また、メモリ１０５は、ＯＳＤ（オンスクリーンディスプレイ）表示用のビットマップメモリおよび画像表示用のビデオメモリとしても機能する。
【００１７】
表示部１０６は、図２（ａ）に示すように、開閉自在に取り付けられており、メモリ１０５に格納されたデータを逐次読み出して表示することで、電子ビューファインダ（スルー画像表示）として機能する。また、表示部１０６は、メモリ１０５内のビットマップメモリに描画されたアイコンやタイムコード等を表示するＯＳＤとしても機能する。
【００１８】
また、表示部１０６は、当該表示部１０６に対する操作を検知するタッチパネル（操作手段の一種）と一体的に構成されている。そして、表示部１０６は、タッチパネルへの操作に応じて、メモリ１０５から読み出した画像データ等の表示を行う。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００１９】
不揮発性メモリ１０７は、例えばＥＥＰＲＯＭ等から成り、システム制御部１０４が使用するデータや、後述する各種処理を実行するためのプログラム等を記憶する。
【００２０】
システム制御部１０４は、カメラ１００全体を制御する。また、システム制御部１０４は、不揮発性メモリ１０７に記憶されたプログラムを実行することで、後述する各種処理を実行する。また、システム制御部１０４は、メモリ１０５、表示部１０６等を制御することにより表示制御も行う。
【００２１】
システムメモリ１０８は、例えばＲＡＭから成り、システム制御部１０４により使用される動作用データを一時的に格納したり、不揮発性メモリ１０７から読み出されたプログラム等が展開される。なお、システムメモリ１０８はメモリ１０５と共通であってもよい。システムタイマー１０９は、各種制御に用いる時間を計測する計時部である。
【００２２】
操作部１１０は、システム制御部１０４に各種の動作指示を入力するための操作部（操作手段の一種）であり、十字キー／決定ボタン１１２、不図示の電源スイッチやモード切替ボタン、トリガーボタン等を備える。電源スイッチは、カメラ１００全体の電源オン、電源オフを切り替える。モード切替ボタンは、システム制御部１０４の動作モードを切り替える。システム制御部１０４は、モード切替ボタンからの切替信号に応じて、動作モードを記録モード、再生モード等のいずれかに切り替える。トリガーボタンは、システム制御部１０４に対して、ユーザから動画の撮影開始および終了を指示することに利用される。システム制御部１０４は、トリガーボタンからのトリガー信号に応じて、撮像部１０１からメモリ１０５に蓄積されたエンコード済み動画データを、記録媒体１１４に書き込むまでの一連の撮影処理を開始または終了する。十字キー／決定ボタン１１２は、例えば、後述するインデックス画面を操作する際にカーソルを移動させる十字キーと、操作の決定を行う決定ボタンとを備える。
【００２３】
外部Ｉ／Ｆ１１８は、カメラ１００を外部の装置と接続するためのインターフェース（Ｉ／Ｆ）である。例えば、外部Ｉ／Ｆ１１８に液晶モニタ等の外部ディスプレイ１５０（外部表示機器）を接続し、図２（ａ）のように、表示部１０６と外部ディスプレイ１５０に同一画面を表示させたり、メモリ１０５やきに記録されている動画や静止画を表示させることができる。図２（ａ）では、表示部１０６と外部ディスプレイ１５０にインデックス画面１５１が表示されている。
【００２４】
外部Ｉ／Ｆ１１８に外部ディスプレイ１５０が接続されている場合、表示部１０６が開状態（図２（ａ））であっても閉状態（図２（ｂ））であっても、十字キー／決定ボタン１１２による操作が可能である。
【００２５】
また、外部Ｉ／Ｆ１１８にマウス等のポインティングデバイスを接続することで、当該ポインティングデバイスをタッチパネルに代わる操作手段とすることもできる。この場合、システム制御部１０４は、表示部１０６にポインタを表示し、タッチパネルによる操作と同様に、外部Ｉ／Ｆ１１８に接続されたポインティングデバイスの移動やクリック操作等による指示入力を受け付ける。なお、外部Ｉ／Ｆ１１８と外部の機器との通信方式については、ＵＳＢであってもよいし、赤外線やＩＥＥＥ等の無線方式であってもよい。
【００２６】
電源制御部１１６は、不図示の電池検出回路、ＤＣ−ＤＣコンバータ、通電するブロックを切り替えるスイッチ回路等により構成され、例えば電源部１１７が電池の場合には、当該電池の装着の有無、電池の種類、電池残量の検出を行う。また、電源制御部１１６は、電池残量の検出結果及びシステム制御部１０４の指示に基づいてＤＣ−ＤＣコンバータを制御し、必要な電圧を必要な期間、記録媒体１１４を含む各部へ供給する。電源部１１７は、アルカリ電池やリチウム電池等の一次電池やＮｉＣｄ電池やＮｉＭＨ電池、Ｌｉ電池等の二次電池、ＡＣアダプター等からなる。
【００２７】
記録媒体Ｉ／Ｆ１１３は、記録媒体１１４と接続するためのＩ／Ｆである。記録媒体１１４は、カメラ１００に装着可能なカード形状の半導体メモリや磁気ディスクであってもよいし、カメラ１００内に組み込まれたフラッシュメモリやハードディスクドライブであってもよい。
【００２８】
記録媒体１１４には、メモリ１０５に格納されたエンコード済み動画データが記録媒体Ｉ／Ｆ１１３を介して記録される。また、記録媒体１１４に記録されているエンコード済み動画データが、記録媒体Ｉ／Ｆ１１３によって読み出されて、メモリ１０５に転送される。なお、記録媒体１１４は、カメラ１００に装着されるメモリーカードやハードディスクドライブやディスクであってもよいし、カメラ１００内に組み込まれたフラッシュメモリやハードディスクドライブであってもよい。
【００２９】
本実施形態におけるカメラ１００では、表示部１０６のタッチパネルにより、以下の操作または状態を検出することができる。
【００３０】
１．タッチダウン：タッチパネルを指や専用のペンで触れる操作。
【００３１】
２．タッチオン：タッチパネルを指や専用のペンで継続して触れている状態。
【００３２】
３．ムーブ：タッチパネルを指や専用のペンで触れたまま移動する操作。
【００３３】
４．タッチアップ：タッチパネルへ触れていた指や専用のペンを離す操作。
【００３４】
５．タッチオフ：タッチパネルに何も触れていない状態。
【００３５】
上記操作に応じてタッチパネルの検出信号がシステム制御部１０４に送信されると、システム制御部１０４は、当該検出信号からタッチパネル上でどのような操作が行なわれたかを判定する。
【００３６】
図３は、図２（ａ）に示す外部ディスプレイ１５０に接続されたカメラ１００における操作パネルの表示制御処理を示すフローチャートである。図示の処理は、システム制御部１０４が不揮発性メモリ１０７等から読み出したプログラムを実行することにより実現される。
【００３７】
操作パネルは、動画の編集や停止等を行うためのものである。操作パネルには、図４（ａ）に示す編集ボタン４０１、前へスキップボタン４０２、次へスキップボタン４０３、再生一時停止ボタン４０４、再生停止ボタン４０５、巻戻しボタン４０６、および早送りボタン４０７等の表示アイテムが含まれる。なお、操作パネルに含まれるボタンアイコンは、これらに限定されるものではなく、スロー再生等があってもよい。
【００３８】
図３において、システム制御部１０４は、図２（ａ）に示すように、表示部１０６と外部ディスプレイ１５０にインデックス画面１５１を表示する（Ｓ３０１）。インデックス画面１５１は、メモリ１０５等に保存されている複数の動画のサムネイル画像を所定の順序に並べて表示したものである。
【００３９】
次に、システム制御部１０４は、表示部１０６のインデックス画面上でタッチ操作により何れかのサムネイル画像が選択されるか、十字キーによるカーソル移動と決定ボタンの押下によって何れかのサムネイル画像が選択されると、選択されたサムネイルに対応する動画を記録媒体１１４から読み出して、当該動画の再生を開始する（Ｓ３０２）。そして、動画の再生開始と同時に、システム制御部１０４は、システムタイマー１０９を制御してタイマーをスタートさせる（Ｓ３０３）。さらに、動画の再生開始と同時に、システム制御部１０４は、図４（ａ）に示すように、表示部１０６に動画と当該動画に重畳して操作パネルを表示（Ｓ３０４）する一方、外部ディスプレイ１５０に動画のみを表示（Ｓ３０５）する。このように、カメラ１００の表示部１０６にのみ操作パネルを表示することで、カメラ１００を操作しているユーザには操作パネルがあることを知らせることができる。さらに、外部ディスプレイ１５０で動画を視聴する他のユーザには、動画視聴の妨げとなる操作パネルを表示しないことで快適な視聴環境を提供することができる。
【００４０】
次に、システム制御部１０４は、Ｓ３０３でスタートさせたタイマーを参照して、所定時間（例えば４秒）が経過したかどうかを判定する（Ｓ３０６）。なお、所定時間は４秒に限らず、任意の時間を設定することができる。そして、所定時間が経過した場合にはＳ３０７に進む。一方、所定時間が経過していない場合には、Ｓ３０９へ進む。
【００４１】
Ｓ３０７では、システム制御部１０４は、システムタイマー１０９を制御してタイマーをストップし、リセットする。次に、システム制御部１０４は、図４（ｂ）に示すように、動画は表示したまま、動画と重畳して表示部１０６に表示されている操作パネルを非表示（Ｓ３０８）にして、Ｓ３０９へ進む。このとき、表示部１０６と外部ディスプレイ１５０の両方に操作パネルを表示している場合には、いずれも非表示にする。また、表示部１０６と外部ディスプレイ１５０のいずれも操作パネルが非表示であった場合には、そのままＳ３０９へ進む。なお、所定時間の経過に応じて操作パネルを非表示とする例を説明したが、所定時間の経過に応じた操作パネルの非表示を行わず、ユーザからの操作に応じて操作パネルを非表示とするようにしてもよい。
【００４２】
Ｓ３０９では、システム制御部１０４は、表示している動画再生が終了したかどうかを判定する。動画が終了していない場合にはＳ３１１へ進む一方、動画が終了した場合にはＳ３１０へ進む。
【００４３】
Ｓ３１１では、システム制御部１０４は、動画再生中にユーザによる操作を受け付けたかどうかを判定する。ユーザによる操作には、例えば、表示部１０６のタッチパネルへのタッチ操作、十字キー／決定ボタン１１２を含む操作部１１０への操作、カメラ１００に接続された外部操作装置（不図示）への操作などが含まれる。操作パネルが表示されている場合は、操作パネルに含まれる何れかのボタンアイコンへの操作（タッチまたは物理操作部材での操作）が含まれる。この場合、操作されたボタンアイコンの機能（早送り、停止など）が実行される。動画の再生後に操作パネルが表示されていない場合は、タッチパネルに対するタッチ（どの領域へのタッチでもよい）や何れかの物理操作部材（操作部１１０）への操作が含まれるが、この場合は操作に応じて後述のＳ３１３での操作パネルの表示のみが行われる。ユーザによる操作があった場合には、システム制御部１０４は、システムタイマー１０９を制御してタイマーをリセットし、リスタートさせる（Ｓ３１２）。そして、システム制御部１０４は、図４（ｃ）に示す様に、表示部１０６と外部ディスプレイ１５０に表示している動画に重畳して操作パネルを表示（Ｓ３１３）し、Ｓ３０６へ戻る。これは、ユーザが表示部１０６を見ながら操作を行ったり、外部ディスプレイ１５０を見ながら操作を行ったりする場合や、図２（ｂ）に示す様に表示部１０６を閉じて外部ディスプレイ１５０を見ながら操作する場合があるためである。
【００４４】
Ｓ３１０では、システム制御部１０４は、システムタイマー１０９を制御してタイマーをストップ＆リセットして、本処理を終了する。その後、システム制御部１０４は、図２（ａ）に示すインデックス画面１５１を、表示部１０６と外部ディスプレイ１５０に表示してもよい。または、システム制御部１０４は、動画再生の終了時に、当該動画の最終フレームで一時停止状態もしくはブラックアウト状態に遷移し、表示部１０６と外部ディスプレイ１５０に操作パネルを表示してもよい。
【００４５】
上記第１の実施形態によれば、動画の再生開始時には、操作パネルをユーザに認識させつつ、外部に出力する動画には操作パネルを表示しないようにして快適な動画視聴を提供することができる。すなわち、カメラ１００に外部ディスプレイ１５０に接続して動画データを出力して動画を表示させる場合、カメラ１００の表示部１０６にのみ操作パネルを所定時間表示する一方、外部ディスプレイ１５０には操作パネルなしの動画を出力する。これにより、カメラの操作を行うユーザに操作パネルの存在を認識させつつ、外部ディスプレイに動画の視聴の妨げとなる操作パネルを表示しないことで外部ディスプレイによる動画視聴を行う他のユーザに快適な動画視聴環境を提供することが可能となる。また、カメラに対する操作時には、当該カメラの表示部と外部ディスプレイの両方に操作パネルを表示するように制御することで、ユーザがどちらの画面を見ながらでもスムーズに操作を行うことが可能となる。
【００４６】
［第２の実施形態］
本発明の第２の実施形態に係る表示制御装置について説明する。なお、第２の実施形態に係る表示制御装置の一例であるデジタルビデオカメラは、上記第１の実施形態で説明したカメラ１００と同様であることから、カメラ１００と同様の構成については、同一の符号を付して、それらの説明を省略する。
【００４７】
図５は、本発明の第２の実施形態における操作パネルの表示制御処理を示すフローチャートである。図示の処理は、システム制御部１０４が不揮発性メモリ１０７等から読み出したプログラムを実行することにより実現される。なお、図５のＳ５０１〜Ｓ５０３，Ｓ５０６〜Ｓ５１５は、図３のＳ３０１〜Ｓ３１３と同様であり、これらの説明については省略する。
【００４８】
図５において、Ｓ５０４では、システム制御部１０４は、メモリ１０５等に保存されている操作パネル表示フラグを参照し、電源ＯＮ後（カメラの起動後）に操作パネルが一度でも表示されたか否かを判定する。操作パネル表示フラグは、電源ＯＮ後に操作パネルが一度でも表示されたかを判定するための表示履歴情報であり、イニシャルはＯＦＦだが、操作パネルが一度でも表示された場合にはＯＮとなる。
【００４９】
Ｓ５０４の判定結果から、操作パネル表示フラグがＯＦＦであり、電源ＯＮ後に操作パネルが一度も表示されていないと判定した場合、システム制御部１０４はＳ５０５以降の処理を行う。これにより、動画の再生開始と同時に、図４（ａ）に示すように、表示部１０６に動画と操作パネルが表示（Ｓ５０６）される一方、外部ディスプレイ１５０に動画のみが表示（Ｓ５０７）される。一方、操作パネル表示フラグがＯＮであり、電源ＯＮ後に操作パネルが一度でも表示されている場合はＳ５１６に進む。
【００５０】
Ｓ５１６では、システム制御部１０４は、図４（ｂ）に示すように、表示部１０６と外部ディスプレイ１５０に動画のみを表示（操作パネルは非表示に）して、Ｓ５０８に進む。これは、電源ＯＮ後の初回の動画再生時に表示部１０６に操作パネルが表示され、ユーザが操作パネルの存在に気付いて、２回目以降の動画再生時に操作パネルを再表示する必要がないからである。なお、上記操作パネル表示フラグは、電源ＯＦＦ時にはリセット（ＯＦＦ）される。
【００５１】
図５に示す処理では、操作パネル表示フラグを用いて操作パネルの表示制御を行っているが、これに限定されるものではなく、電源ＯＮ後の動画の再生回数や再生モードへの切り替え回数を用いてもよい。例えば、電源ＯＮ後に動画の再生が少なくとも１回行われていた場合または電源ＯＮ後に再生モードへの切り替えが少なくとも１回行われていた場合には操作パネルを表示しないように制御する。
【００５２】
上記第２の実施形態によれば、カメラ１００の起動後において、動画再生時に毎回操作パネルの表示を行わないように表示制御する。これにより、既に操作パネルの存在を認識したユーザに対して、操作パネルを繰り返し表示することなく、当該ユーザの利便性を向上させることが可能となる。
【００５３】
なお、上記第１および第２の実施形態において説明したシステム制御部１０４による制御は１つのハードウェアが行ってもよいし、複数のハードウェアが分担して行うようにしてもよい。
【００５４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５５】
また、上述した実施形態においては、本発明をデジタルビデオカメラに適用した場合を例にして説明したが、この場合に限定されず、外部ディスプレイに接続して動画データを出力する機能と本体表示部を備える表示制御装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００５６】
（他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５７】
１００  デジタルビデオカメラ
１０４  システム制御部
１０５  メモリ
１０６  表示部
１１０  操作部
１１２  十字キー／決定ボタン
１１４  記録媒体
１１８  外部Ｉ／Ｆ
１５０  外部ディスプレイ
１５１  インデックス画面
【図１】
2016133973.tif 000003
【図２】
2016133973.tif 000004
【図３】
2016133973.tif 000005
【図４】
2016133973.tif 000006
【図５】
2016133973.tif 000007